(57)【要約】【課題】  無駄なスペースを生じさせることなく設置することができ、圧力容器として用いた場合の軽量化を図ることができる圧力容器ライナを提供する。【解決手段】  圧力容器用ライナ１は、筒状の胴２と、胴２の両端開口を閉鎖する鏡板とよりなる。  圧力容器用ライナ１は、胴２を構成する第１ライナ構成部材４と、第１ライナ構成部材４の両端部に接合されかつ鏡板を構成する第２ライナ構成部材とを備えている。第１ライナ構成部材４は、両端が開口した筒状部６と、筒状部６内にその全長にわたって設けられ、かつ筒状部６内を両端が開口した複数の空間８に仕切る補強壁７とを有している。筒状部６の横断面の外形は左右方向に長いだ円形である。筒状部６内に、横断面形状が上下方向に長いだ円形である複数の空間８を、左右方向に間隔をおいて形成する。【選択図】      図４
2006153065.tif 000002
【特許請求の範囲】
【請求項１】
筒状の胴と、胴の両端開口を閉鎖する鏡板とよりなる圧力容器用ライナにおいて、
第１ライナ構成部材と、第１ライナ構成部材の少なくとも一端部に接合された第２ライナ構成部材とを備え、第１ライナ構成部材が、少なくとも一端が開口した筒状部と、筒状部内にその全長にわたって設けられ、かつ筒状部内を少なくとも一端が開口した複数の空間に仕切る補強壁とを有しており、第１ライナ構成部材における筒状部の横断面の外形が上下方向に比べて左右方向に長い偏平状であり、筒状部の左右方向外側部分が、横断面において上下方向の中央部が外方に突出するように丸みを帯びており、第１ライナ構成部材の筒状部内の空間の横断面形状が、内部圧力が上昇した際に筒状部の外周長を増加させるような形状となっている圧力容器用ライナ。
【請求項２】
胴を構成する第１ライナ構成部材と、両鏡板を構成する２つの第２ライナ構成部材とよりなり、第１ライナ構成部材の筒状部の両端が開口しており、筒状部内が補強壁により両端が開口した複数の空間に仕切られている請求項１記載の圧力容器用ライナ。
【請求項３】
胴および一方の鏡板を構成する第１ライナ構成部材と、他方の鏡板を構成する１つの第２ライナ構成部材とよりなり、第１ライナ構成部材の筒状部の一端が開口するとともに他端が閉鎖されており、筒状部内が補強壁により一端が開口した複数の空間に仕切られている請求項１記載の圧力容器用ライナ。
【請求項４】
第１ライナ構成部材における筒状部の横断面の外形が左右方向に長いだ円形であり、第１ライナ構成部材の筒状部内に、横断面形状が上下方向に長いだ円形である複数の空間が、左右方向に間隔をおいて形成されている請求項１〜３のうちのいずれかに記載の圧力容器用ライナ。
【請求項５】
第１ライナ構成部材における筒状部の横断面の外形が左右方向に長いだ円形であり、第１ライナ構成部材の筒状部内に、横断面形状が左右方向に長いだ円形である複数の空間が、上下方向に間隔をおいて形成されている請求項１〜３のうちのいずれかに記載の圧力容器用ライナ。
【請求項６】
第１ライナ構成部材における筒状部の横断面の外形が左右方向に長いだ円形であり、第１ライナ構成部材の筒状部内における左右両側部分に、それぞれ横断面形状が上下方向に長いだ円形である空間が形成され、同じく筒状部内における左右方向の中間部に、横断面形状が左右方向に長いだ円形である空間が形成されている請求項１〜３のうちのいずれかに記載の圧力容器用ライナ。
【請求項７】
第１ライナ構成部材の筒状部内における左右両側部分に、それぞれ横断面形状が上下方向に長いだ円形である複数の空間が左右方向に間隔をおいて形成されている請求項６記載の圧力容器用ライナ。
【請求項８】
第１ライナ構成部材の筒状部内における左右方向の中間部に、横断面形状が左右方向に長いだ円形である複数の空間が上下方向に間隔をおいて形成されている請求項６または７記載の圧力容器用ライナ。
【請求項９】
第１ライナ構成部材における筒状部の横断面の外形が左右方向に長い長円形であり、第１ライナ構成部材の筒状部内に、横断面形状が上下方向に長い長円形である複数の空間が、左右方向に間隔をおいて形成されている請求項１〜３のうちのいずれかに記載の圧力容器用ライナ。
【請求項１０】
第１ライナ構成部材における筒状部の横断面の外形が左右方向に長い長円形であり、第１ライナ構成部材の筒状部内に、横断面形状が左右方向に長い長円形である複数の空間が、上下方向に間隔をおいて形成されている請求項１〜３のうちのいずれかに記載の圧力容器用ライナ。
【請求項１１】
第１ライナ構成部材における筒状部の横断面の外形が左右方向に長い長円形であり、第１ライナ構成部材の筒状部内における左右両側部分に、それぞれ横断面形状が上下方向に長い長円形である空間が形成され、同じく筒状部内における左右方向の中間部に、横断面形状が左右方向に長い長円形である空間が形成されている請求項１〜３のうちのいずれかに記載の圧力容器用ライナ。
【請求項１２】
第１ライナ構成部材の筒状部内における左右両側部分に、それぞれ横断面形状が上下方向に長い長円形である複数の空間が左右方向に間隔をおいて形成されている請求項１１記載の圧力容器用ライナ。
【請求項１３】
第１ライナ構成部材の筒状部内における左右方向の中間部に、横断面形状が左右方向に長い長円形である複数の空間が上下方向に間隔をおいて形成されている請求項１１または１２記載の圧力容器用ライナ。
【請求項１４】
第１ライナ構成部材および第２ライナ構成部材がアルミニウムよりなり、両ライナ構成部材が摩擦攪拌接合されている請求項１〜１３のうちのいずれかに記載の圧力容器用ライナ。
【請求項１５】
請求項１〜１４のうちのいずれかに記載された圧力容器用ライナの外周面が、補強繊維に樹脂が含浸硬化させられてなる繊維強化樹脂層で覆われている圧力容器。
【請求項１６】
繊維強化樹脂層が、補強繊維を胴の長さ方向に対して傾斜するように巻き付けてなるヘリカル巻繊維層、および補強繊維を胴の周囲に巻き付けてなるフープ巻繊維層を備えている請求項１５記載の圧力容器。
【請求項１７】
繊維強化樹脂層が、さらに補強繊維を両鏡板にかかるようにして胴の長さ方向に平行に巻き付けてなるインプレーン巻繊維層を備えている請求項１６記載の圧力容器。
【請求項１８】
燃料水素用圧力容器、燃料電池、および燃料水素用圧力容器から燃料電池に燃料水素ガスを送る圧力配管を備えており、燃料水素用圧力容器が請求項１５〜１７のうちのいずれかに記載の圧力容器からなる燃料電池システム。
【請求項１９】
請求項１８記載の燃料電池システムを搭載した燃料電池自動車。
【請求項２０】
請求項１８記載の燃料電池システムを備えたコージェネレーションシステム。
【請求項２１】
天然ガス用圧力容器および天然ガス用圧力容器から天然ガスを送り出す圧力配管を備えており、天然ガス用圧力容器が請求項１５〜１７のうちのいずれかに記載の圧力容器からなる天然ガス供給システム。
【請求項２２】
請求項２１記載の天然ガス供給システムと、発電機と、発電機駆動装置を備えているコージェネレーションシステム。
【請求項２３】
請求項２１記載の天然ガス供給システムと、天然ガスを燃料とするエンジンとを備えている天然ガス自動車。
【請求項２４】
酸素用圧力容器および酸素用圧力容器から酸素ガスを送り出す圧力配管を備えており、酸素用圧力容器が請求項１５〜１７のうちのいずれかに記載の圧力容器からなる酸素ガス供給システム。
【発明の詳細な説明】
【技術分野】
【０００１】
この発明は、たとえば自動車産業、住宅産業、軍事産業、航空宇宙産業、医療産業等において、発電のための燃料となる水素ガスや天然ガスを貯蔵する圧力容器、または酸素ガスを貯蔵する圧力容器に用いられる圧力容器用ライナに関する。
【０００２】
この明細書および特許請求の範囲において、図４〜図９の上下、左右をそれぞれ上下、左右というものとする。この明細書および特許請求の範囲において、「アルミニウム」という用語には、純アルミニウムの他にアルミニウム合金を含むものとする。この明細書および特許請求の範囲において、「だ円形」という語には、数学で定義されるだ円の他に、だ円に近似した形状、すなわち一方向の長さがこれと直交する方向の長さよりも長く、かつ全体に丸みを帯びている形状も含むものとする。さらに、この明細書および特許請求の範囲において、「長円形」という語は、曲率半径の等しい半円が開口どうしが対向するように間隔をおきかつ曲率中心が同一直線上に位置するように配置され、両半円どうしが互いに平行な２つの直線により連結された形状を意味するものとする。
【背景技術】
【０００３】
近年、自動車排気ガス等による大気汚染対策として、排気ガスのクリーンな天然ガス自動車や、燃料電池自動車の開発が進められている。これらの自動車は、燃料となる天然ガスや水素ガスを高圧で充填した圧力容器を搭載している。
【０００４】
従来、このような圧力容器用ライナとして、円筒状の胴と胴の両端開口を閉鎖する鏡板とよりなり、両端が開口した円筒状体からなりかつ胴を構成するアルミニウム押出形材製の第１ライナ構成部材と、略椀状でかつ第１ライナ構成部材の両端部に溶接されて鏡板を構成する２つのアルミニウムダイキャスト製第２ライナ構成部材とにより形成されたものが知られている（たとえば、特許文献１参照）。
【０００５】
この圧力容器用ライナは、補強繊維を両鏡板にかかるようにして胴の長さ方向に対して傾斜するように巻き付けるとともにエポキシ樹脂を含浸硬化させたヘリカル巻補強層と、補強繊維を胴の周りに周方向に巻き付けるとともにエポキシ樹脂を含浸硬化させたフープ巻補強層とが複数ずつ設けられて、圧力容器として用いられるようになっている。
【０００６】
ところで、自動車においては、航続距離を延ばすことを目的として、圧力容器の大容量化が要求されている。特許文献１記載の圧力容器用ライナを用いた圧力容器において大容量化を図るためには、胴の直径を大きくするとともに長さを長くすればよいのであるが、自動車の車幅には制限があるので、胴の長さを長くすることにも限界があることから、胴の直径を大きくすることにより、圧力容器の大容量化に対応しなければならない。しかしながら、胴の直径を大きくすると、自動車に存在する空いているスペースを有効に利用することができず、車載状態において無駄なスペースが生じ、車室の居住性が低下するという問題がある。しかも、胴の直径を大きくすると、車高を高くする必要があってセダン型等の車高の低い自動車には用いることができないという問題がある。
【０００７】
そこで、このような問題を解決した圧力容器用ライナとして、胴の横断面形状が左右方向に長い長円形となされたものが提案されている（特許文献２参照）。
【０００８】
この圧力容器用ライナにおいても、補強繊維を両鏡板にかかるようにして胴の長さ方向に対して傾斜するように巻き付けるとともに樹脂を含浸硬化させたヘリカル巻補強層と、補強繊維を胴の周りに胴の長さ方向と直角をなすように巻き付けるとともに樹脂を含浸硬化させたフープ巻補強層とが複数ずつ設けられて、圧力容器として用いられるようになっている。
【０００９】
しかしながら、特許文献２記載の圧力容器用ライナを用いた圧力容器においては、内圧が上昇した場合、胴は上下方向に膨らむとともに左右方向に縮んで横断面円形になろうとする変形挙動を示すことになる。この場合、胴の外周長は変化しないので、補強繊維、特にフープ巻補強層を形成する補強繊維に張力が作用せず、補強繊維による耐圧性向上効果が十分に得られない。したがって、ヘリカル巻補強層およびフープ巻補強層の数を多くしなければならず、その結果圧力容器全体の重量が増加するという問題がある。
【特許文献１】特開平９−４２５９５号公報
【特許文献２】特開２００２−３４０２９１号公報
【発明の開示】
【発明が解決しようとする課題】
【００１０】
この発明の目的は、上記問題を解決し、無駄なスペースを生じさせることなく設置することができ、圧力容器として用いた場合の軽量化を図ることができる圧力容器ライナを提供することにある。
【課題を解決するための手段】
【００１１】
本発明は、上記目的を達成するために以下の態様からなる。
【００１２】
1)筒状の胴と、胴の両端開口を閉鎖する鏡板とよりなる圧力容器用ライナにおいて、
第１ライナ構成部材と、第１ライナ構成部材の少なくとも一端部に接合された第２ライナ構成部材とを備え、第１ライナ構成部材が、少なくとも一端が開口した筒状部と、筒状部内にその全長にわたって設けられ、かつ筒状部内を少なくとも一端が開口した複数の空間に仕切る補強壁とを有しており、第１ライナ構成部材における筒状部の横断面の外形が上下方向に比べて左右方向に長い偏平状であり、筒状部の左右方向外側部分が、横断面において上下方向の中央部が外方に突出するように丸みを帯びており、第１ライナ構成部材の筒状部内の空間の横断面形状が、内部圧力が上昇した際に筒状部の外周長を増加させるような形状となっている圧力容器用ライナ。
【００１３】
2)胴を構成する第１ライナ構成部材と、両鏡板を構成する２つの第２ライナ構成部材とよりなり、第１ライナ構成部材の筒状部の両端が開口しており、筒状部内が補強壁により両端が開口した複数の空間に仕切られている上記1)記載の圧力容器用ライナ。
【００１４】
3)胴および一方の鏡板を構成する第１ライナ構成部材と、他方の鏡板を構成する１つの第２ライナ構成部材とよりなり、第１ライナ構成部材の筒状部の一端が開口するとともに他端が閉鎖されており、筒状部内が補強壁により一端が開口した複数の空間に仕切られている請求項１記載の圧力容器用ライナ。
【００１５】
4)第１ライナ構成部材における筒状部の横断面の外形が左右方向に長いだ円形であり、第１ライナ構成部材の筒状部内に、横断面形状が上下方向に長いだ円形である複数の空間が、左右方向に間隔をおいて形成されている上記1)〜3)のうちのいずれかに記載の圧力容器用ライナ。
【００１６】
5)第１ライナ構成部材における筒状部の横断面の外形が左右方向に長いだ円形であり、第１ライナ構成部材の筒状部内に、横断面形状が左右方向に長いだ円形である複数の空間が、上下方向に間隔をおいて形成されている上記1)〜3)のうちのいずれかに記載の圧力容器用ライナ。
【００１７】
6)第１ライナ構成部材における筒状部の横断面の外形が左右方向に長いだ円形であり、第１ライナ構成部材の筒状部内における左右両側部分に、それぞれ横断面形状が上下方向に長いだ円形である空間が形成され、同じく筒状部内における左右方向の中間部に、横断面形状が左右方向に長いだ円形である空間が形成されている上記1)〜3)のうちのいずれかに記載の圧力容器用ライナ。
【００１８】
7)第１ライナ構成部材の筒状部内における左右両側部分に、それぞれ横断面形状が上下方向に長いだ円形である複数の空間が左右方向に間隔をおいて形成されている上記6)記載の圧力容器用ライナ。
【００１９】
8)第１ライナ構成部材の筒状部内における左右方向の中間部に、横断面形状が左右方向に長いだ円形である複数の空間が上下方向に間隔をおいて形成されている上記6)または7)記載の圧力容器用ライナ。
【００２０】
9)第１ライナ構成部材における筒状部の横断面の外形が左右方向に長い長円形であり、第１ライナ構成部材の筒状部内に、横断面形状が上下方向に長い長円形である複数の空間が、左右方向に間隔をおいて形成されている上記1)〜3)のうちのいずれかに記載の圧力容器用ライナ。
【００２１】
10)第１ライナ構成部材における筒状部の横断面の外形が左右方向に長い長円形であり、第１ライナ構成部材の筒状部内に、横断面形状が左右方向に長い長円形である複数の空間が、上下方向に間隔をおいて形成されている上記1)〜3)のうちのいずれかに記載の圧力容器用ライナ。
【００２２】
11)第１ライナ構成部材における筒状部の横断面の外形が左右方向に長い長円形であり、第１ライナ構成部材の筒状部内における左右両側部分に、それぞれ横断面形状が上下方向に長い長円形である空間が形成され、同じく筒状部内における左右方向の中間部に、横断面形状が左右方向に長い長円形である空間が形成されている上記1)〜3)のうちのいずれかに記載の圧力容器用ライナ。
【００２３】
12)第１ライナ構成部材の筒状部内における左右両側部分に、それぞれ横断面形状が上下方向に長い長円形である複数の空間が左右方向に間隔をおいて形成されている上記11)記載の圧力容器用ライナ。
【００２４】
13)第１ライナ構成部材の筒状部内における左右方向の中間部に、横断面形状が左右方向に長い長円形である複数の空間が上下方向に間隔をおいて形成されている上記11)または12)記載の圧力容器用ライナ。
【００２５】
14)第１ライナ構成部材および第２ライナ構成部材がアルミニウムよりなり、両ライナ構成部材が摩擦攪拌接合されている上記1)〜13)のうちのいずれかに記載の圧力容器用ライナ。
【００２６】
15)上記1)〜14)のうちのいずれかに記載された圧力容器用ライナの外周面が、補強繊維に樹脂が含浸硬化させられてなる繊維強化樹脂層で覆われている圧力容器。
【００２７】
16)繊維強化樹脂層が、補強繊維を胴の長さ方向に対して傾斜するように巻き付けてなるヘリカル巻繊維層、および補強繊維を胴の周囲に巻き付けてなるフープ巻繊維層を備えている上記15)記載の圧力容器。
【００２８】
17)繊維強化樹脂層が、さらに補強繊維を両鏡板にかかるようにして胴の長さ方向に平行に巻き付けてなるインプレーン巻繊維層を備えている上記16)記載の圧力容器。
【００２９】
18)燃料水素用圧力容器、燃料電池、および燃料水素用圧力容器から燃料電池に燃料水素ガスを送る圧力配管を備えており、燃料水素用圧力容器が上記15)〜17)のうちのいずれかに記載の圧力容器からなる燃料電池システム。
【００３０】
19)上記18)記載の燃料電池システムを搭載した燃料電池自動車。
【００３１】
20)上記18)記載の燃料電池システムを備えたコージェネレーションシステム。
【００３２】
21)天然ガス用圧力容器および天然ガス用圧力容器から天然ガスを送り出す圧力配管を備えており、天然ガス用圧力容器が上記15)〜17)のうちのいずれかに記載の圧力容器からなる天然ガス供給システム。
【００３３】
22)上記21)記載の天然ガス供給システムと、発電機と、発電機駆動装置を備えているコージェネレーションシステム。
【００３４】
23)上記21)記載の天然ガス供給システムと、天然ガスを燃料とするエンジンとを備えている天然ガス自動車。
【００３５】
24)酸素用圧力容器および酸素用圧力容器から酸素ガスを送り出す圧力配管を備えており、酸素用圧力容器が上記15)〜17)のうちのいずれかに記載の圧力容器からなる酸素ガス供給システム。
【発明の効果】
【００３６】
上記1)〜3)の圧力容器用ライナの外周面が、上述したヘリカル巻補強層およびフープ巻補強層を有する繊維強化樹脂層で覆われた圧力容器において、圧力容器用ライナの内圧が上昇した場合、第１ライナ構成部材の筒状部の外周長が増加するので、補強繊維、特にフープ巻補強層を形成する補強繊維に張力が作用することになり、補強繊維による耐圧性向上効果が優れたものになる。したがって、ヘリカル巻補強層およびフープ巻補強層の数を少なくすることができ、その結果圧力容器全体の軽量化を図ることができる。しかも、第１ライナ構成部材における筒状部の横断面の外形が上下方向に比べて左右方向に長い偏平状であるから、設置すべき装置、たとえば自動車に無駄なスペースを生じさせることなく設置することができる。
【００３７】
上記4)の圧力容器用ライナの外周面が、上述したヘリカル巻補強層およびフープ巻補強層を有する繊維強化樹脂層で覆われた圧力容器において、圧力容器用ライナの内圧が上昇した場合、第１ライナ構成部材の筒状部は、その横断面の外形の長さ方向、すなわち左右方向に伸びるとともに、その横断面の外形の幅方向、すなわち上下方向の伸びが補強壁により抑制されるような変形挙動を示す。したがって、胴の外周長が増加し、補強繊維、特にフープ巻補強層を形成する補強繊維に張力が作用することになる。
【００３８】
上記5)の圧力容器用ライナの外周面が、上述したヘリカル巻補強層およびフープ巻補強層を有する繊維強化樹脂層で覆われた圧力容器において、圧力容器用ライナの内圧が上昇した場合、第１ライナ構成部材の筒状部は、その横断面の外形の幅方向、すなわち上下方向に伸びるとともに、その横断面の外形の長さ方向、すなわち左右方向の伸びが補強壁により抑制されるような変形挙動を示す。したがって、胴の外周長が増加し、補強繊維、特にフープ巻補強層を形成する補強繊維に張力が作用することになる。
【００３９】
上記6)〜8)の圧力容器用ライナの外周面が、上述したヘリカル巻補強層およびフープ巻補強層を有する繊維強化樹脂層で覆われた圧力容器において、圧力容器用ライナの内圧が上昇した場合、第１ライナ構成部材の筒状部は、その左右両側部分においては、その横断面の外形の長さ方向、すなわち左右方向に伸びるとともに、その横断面の外形の幅方向、すなわち上下方向の伸びが補強壁により抑制されるような変形挙動を示すとともに、左右方向の中間部においては、その横断面の外形の幅方向、すなわち上下方向に伸びるとともに、その横断面の外形の長さ方向、すなわち左右方向の伸びが補強壁により抑制されるような変形挙動を示す。したがって、胴の外周長が増加し、補強繊維、特にフープ巻補強層を形成する補強繊維に張力が作用することになる。
【００４０】
上記9)の圧力容器用ライナの外周面が、上述したヘリカル巻補強層およびフープ巻補強層を有する繊維強化樹脂層で覆われた圧力容器において、圧力容器用ライナの内圧が上昇した場合、第１ライナ構成部材の筒状部は、その横断面の外形の長さ方向、すなわち左右方向に伸びるとともに、その横断面の外形の幅方向、すなわち上下方向の伸びが補強壁により抑制されるような変形挙動を示す。したがって、胴の外周長が増加し、補強繊維、特にフープ巻補強層を形成する補強繊維に張力が作用することになる。
【００４１】
上記10)の圧力容器用ライナの外周面が、上述したヘリカル巻補強層およびフープ巻補強層を有する繊維強化樹脂層で覆われた圧力容器において、圧力容器用ライナの内圧が上昇した場合、第１ライナ構成部材における筒状部は、その横断面の外形の幅方向、すなわち上下方向に伸びるとともに、その横断面の外形の長さ方向、すなわち左右方向の伸びが補強壁により抑制されるような変形挙動を示す。したがって、胴の外周長が増加し、補強繊維、特にフープ巻補強層を形成する補強繊維に張力が作用することになる。
【００４２】
上記11)〜13)の圧力容器用ライナの外周面が、上述したヘリカル巻補強層およびフープ巻補強層を有する繊維強化樹脂層で覆われた圧力容器において、圧力容器用ライナの内圧が上昇した場合、第１ライナ構成部材の筒状部は、その左右両側部分においては、その横断面の外形の長さ方向、すなわち左右方向に伸びるとともに、その横断面の外形の幅方向、すなわち上下方向の伸びが補強壁により抑制されるような変形挙動を示すとともに、左右方向の中間部においては、その横断面の外形の幅方向、すなわち上下方向に伸びるとともに、その横断面の外形の長さ方向、すなわち左右方向の伸びが補強壁により抑制されるような変形挙動を示す。したがって、胴の外周長が増加し、補強繊維、特にフープ巻補強層を形成する補強繊維に張力が作用することになる。
【００４３】
上記14)の圧力容器用ライナによれば、第１ライナ構成部材と第２ライナ構成部材との接合を強固に行うことができる。
【発明を実施するための最良の形態】
【００４４】
以下、この発明の実施形態を、図面を参照して説明する。なお、全図面を通じて同一部分および同一物には同一符号を付して重複する説明を省略する。
【００４５】
実施形態１
この実施形態は図１〜図４に示すものである。
【００４６】
図１は圧力容器用ライナを示し、図２は圧力容器用ライナを構成するライナ構成部材を示し、図３および図４は圧力容器用ライナを用いた圧力容器を示す。
【００４７】
図１において、圧力容器用ライナ(1)は、胴(2)と胴(2)の両端開口を閉鎖する鏡板(3)とよりなり、両端が開口したアルミニウム製ポートホール押出管からなりかつ胴(2)を構成する第１ライナ構成部材(4)と、外方に膨出したドーム状でありかつ第１ライナ構成部材(4)の両端部に接合されて両鏡板(3)を構成する２つのアルミニウム製第２ライナ構成部材(5)とを備えている。
【００４８】
図２に示すように、第１ライナ構成部材(4)は、両端が開口した筒状部(6)と、筒状部(6)内にその全長にわたって一体に形成された複数の補強壁(7)とよりなり、すべての補強壁(7)は、横断面において上下方向に伸びて上下両端で筒状部(6)の内周面に一体化されている。筒状部(6)内は、補強壁(7)により両端が開口した複数の空間(8)に仕切られている。
【００４９】
第１ライナ構成部材(4)における筒状部(6)の横断面の外形は左右方向に長いだ円形であり、第１ライナ構成部材(4)の筒状部(6)内に、横断面形状が上下方向に長いだ円形である複数の空間(8)が、左右方向に間隔をおいて形成されている（図４参照）。
【００５０】
第２ライナ構成部材(5)は、鍛造、ダイカストまたは切削により形成されたものであり、その開口端部は第１ライナ構成部材(4)の筒状部(6)の横断面の外形と同形同大の外形を有している。一方の第２ライナ構成部材(6)の閉鎖部には口金取付部(9)が一体に形成されている。口金取付部(9)には、その外端から貫通穴(9a)が形成されている。貫通穴(9a)の内周面にめねじ(11)が形成されている。
【００５１】
第１ライナ構成部材(4)および第２ライナ構成部材(5)は、それぞれ、たとえばJIS Ａ２０００系合金、JIS Ａ５０００系合金、JIS Ａ６０００系合金およびJIS Ａ７０００系合金のうちのいずれかにより形成されている。これらのライナ構成部材(4)(5)は同じ材料で形成されていてもよいし、あるいは３つのうち少なくとも２つが異なる材料で形成されていてもよい。
【００５２】
圧力容器用ライナ(1)においては、第１ライナ構成部材(4)の筒状部(6)の両端部と、第２ライナ構成部材(5)の開口端部とが全周にわたって摩擦攪拌接合されている。接合部のビードを(12)で示す（図１および図３参照）。なお、両ライナ構成部材(4)(5)をを接合する方法は、摩擦攪拌接合法に限定されるものではない。
【００５３】
図３および図４に示すように、圧力容器用ライナ(1)は、周囲の全体が、たとえばカーボン繊維強化樹脂などからなる繊維強化樹脂層(13)で覆われ、高圧圧力容器(14)として用いられる。図示は省略したが、繊維強化樹脂層(13)は、補強繊維を胴(2)の長さ方向とほぼ直角をなすように巻き付けてなるフープ巻繊維層に樹脂を含浸硬化させたフープ巻補強層と、補強繊維を胴(2)の長さ方向と平行に巻き付けてなるインプレーン巻繊維層に樹脂を含浸硬化させたインプレーン巻補強層と、補強繊維を胴(2)の長さ方向に対して傾斜するように巻き付けてなるヘリカル巻繊維層に樹脂を含浸硬化させたヘリカル巻補強層とよりなる。各補強層を構成する繊維としては、たとえばカーボン繊維、ガラス繊維、アラミド繊維などが用いられるが、カーボン繊維を用いることが好ましい。また、各補強層を構成する樹脂としては、たとえばエポキシ樹脂が用いられる。各補強層は、フィラメントワインディング法により樹脂を含浸させた補強繊維、あるいは樹脂を含浸させた補強繊維の束を巻き付けた後、樹脂を硬化させることにより形成される。なお、インプレーン巻補強層は必ずしも必要としない。
【００５４】
圧力容器(14)において、圧力容器用ライナ(1)の内圧が上昇した場合、第１ライナ構成部材(4)の筒状部(6)は、その横断面の外形の長さ方向、すなわち左右方向に伸びるとともに、その横断面の外形の幅方向、すなわち上下方向の伸びが補強壁(7)により抑制されるような変形挙動を示す。したがって、胴(2)の外周長が増加し、補強繊維、特にフープ巻補強層を形成する補強繊維に張力が作用することになって、補強繊維による耐圧性向上効果が優れたものになる。その結果、フープ巻補強層、インプレーン巻補強層およびヘリカル巻補強層の数を少なくすることができ、圧力容器(14)全体の軽量化を図ることができる。
【００５５】
実施形態２
この実施形態は図５に示すものである。
【００５６】
この実施形態の場合、圧力容器用ライナ(20)の第１ライナ構成部材(21)は、筒状部(6)と、筒状部(6)内にその全長にわたって一体に形成された補強壁(22)とよりなり、補強壁(22)は、横断面において左右方向に伸びて左右両端で筒状部(6)の内周面に一体化されている。筒状部(6)内は、補強壁(22)により両端が開口した複数の空間(23)に仕切られている。すなわち、筒状部(6)内には、横断面形状が左右方向に長いだ円形である複数の空間(23)が上下方向に間隔をおいて形成されている。
【００５７】
その他の構成は実施形態１の圧力容器用ライナと同じである。
【００５８】
この圧力容器用ライナ(20)の場合にも、実施形態１の圧力容器用ライナ(1)の場合と同様に、周囲の全体が、たとえばカーボン繊維強化樹脂などからなる繊維強化樹脂層(13)で覆われ、高圧圧力容器(14)として用いられる。
【００５９】
圧力容器(14)において、圧力容器用ライナ(20)の内圧が上昇した場合、第１ライナ構成部材(21)の筒状部(6)は、その横断面の外形の幅方向、すなわち上下方向に伸びるとともに、その横断面の外形の長さ方向、すなわち左右方向の伸びが補強壁(22)により抑制されるような変形挙動を示す。したがって、胴(2)の外周長が増加し、補強繊維、特にフープ巻補強層を形成する補強繊維に張力が作用することになって、補強繊維による耐圧性向上効果が優れたものになる。その結果、フープ巻補強層、インプレーン巻補強層およびヘリカル巻補強層の数を少なくすることができ、圧力容器全体の軽量化を図ることができる。
【００６０】
実施形態３
この実施形態は図６に示すものである。
【００６１】
この実施形態の場合、圧力容器用ライナ(25)の第１ライナ構成部材(26)は、筒状部(6)と、筒状部(6)内にその全長にわたって一体に形成された複数の補強壁(27A)(27B)とよりなる。筒状部(6)内は、補強壁(27A)(27B)により両端が開口した複数の空間(28A)(28B)に仕切られている。筒状部(6)内の左右両側部分の補強壁(27A)は、横断面において上下方向に伸びて上下両端で筒状部(6)の内周面に一体化されている。左右方向の中間部の補強壁（27B)は、横断面において左右方向に伸びて左右両端で上下方向に伸びる補強壁(27A)に一体化されている。筒状部(6)内における左右両側部分には、横断面形状が上下方向に長いだ円形である複数の空間(28A)が左右方向に間隔をおいて形成されている。また、筒状部(6)内における左右方向の中間部には、横断面形状が左右方向に長いだ円形である複数の空間(28B)が上下方向に間隔をおいて形成されている。
【００６２】
その他の構成は実施形態１の圧力容器用ライナと同じである。
【００６３】
この圧力容器用ライナ(25)の場合にも、実施形態１の圧力容器用ライナ(1)の場合と同様に、周囲の全体が、たとえばカーボン繊維強化樹脂などからなる繊維強化樹脂層(13)で覆われ、高圧圧力容器(14)として用いられる。
【００６４】
圧力容器(14)において、圧力容器用ライナ(25)の内圧が上昇した場合、第１ライナ構成部材(26)の筒状部(6)は、その左右両側部分においては、その横断面の外形の長さ方向、すなわち左右方向に伸びるとともに、その横断面の外形の幅方向、すなわち上下方向の伸びが補強壁(27A)により抑制されるような変形挙動を示すとともに、左右方向の中間部においては、その横断面の外形の幅方向、すなわち上下方向に伸びるとともに、その横断面の外形の長さ方向、すなわち左右方向の伸びが補強壁(27B)により抑制されるような変形挙動を示す。したがって、胴(2)の外周長が増加し、補強繊維、特にフープ巻補強層を形成する補強繊維に張力が作用することになって、補強繊維による耐圧性向上効果が優れたものになる。その結果、フープ巻補強層、インプレーン巻補強層およびヘリカル巻補強層の数を少なくすることができ、圧力容器全体の軽量化を図ることができる。
【００６５】
実施形態４
この実施形態は図７に示すものである。
【００６６】
この実施形態の場合、圧力容器用ライナ(30)の第１ライナ構成部材(31)は、横断面形状の外形が左右方向に長い長円形である筒状部(32)と、筒状部(32)内にその全長にわたって一体に形成された複数の補強壁(33)とよりなり、すべての補強壁(33)は、横断面において上下方向に伸びて左右両端で筒状部(32)の内周面に一体化されている。筒状部(32)内は、補強壁(33)により両端が開口した複数の空間(34)に仕切られている。すなわち、筒状部(32)内には、横断面形状が上下方向に長い長円形である複数の空間(34)が左右方向に間隔をおいて形成されている。
【００６７】
その他の構成は実施形態１の圧力容器用ライナと同じである。
【００６８】
この圧力容器用ライナ(30)の場合にも、実施形態１の圧力容器用ライナ(1)の場合と同様に、周囲の全体が、たとえばカーボン繊維強化樹脂などからなる繊維強化樹脂層(13)で覆われ、高圧圧力容器(14)として用いられる。
【００６９】
圧力容器(14)において、圧力容器用ライナ(30)の内圧が上昇した場合、第１ライナ構成部材(31)の筒状部(32)は、その横断面の外形の長さ方向、すなわち左右方向に伸びるとともに、その横断面の外形の幅方向、すなわち上下方向の伸びが補強壁(33)により抑制されるような変形挙動を示す。したがって、胴(2)の外周長が増加し、補強繊維、特にフープ巻補強層を形成する補強繊維に張力が作用することになって、補強繊維による耐圧性向上効果が優れたものになる。その結果、フープ巻補強層、インプレーン巻補強層およびヘリカル巻補強層の数を少なくすることができ、圧力容器(14)全体の軽量化を図ることができる。
【００７０】
実施形態５
この実施形態は図８に示すものである。
【００７１】
この実施形態の場合、圧力容器用ライナ(35)の第１ライナ構成部材(36)は、筒状部(32)と、筒状部(32)内にその全長にわたって一体に形成された補強壁(37)とよりなる。補強壁(37)は、横断面において左右方向に伸びて左右両端で筒状部(32)の内周面に一体化されている。筒状部(32)内は、補強壁(37)により両端が開口した複数の空間(38)に仕切られている。すなわち、筒状部(32)内には、横断面形状が左右方向に長い長円形である複数の空間(38)が上下方向に間隔をおいて形成されている。
【００７２】
その他の構成は実施形態４の圧力容器用ライナと同じである。
【００７３】
この圧力容器用ライナ(35)の場合にも、実施形態１の圧力容器用ライナ(1)の場合と同様に、周囲の全体が、たとえばカーボン繊維強化樹脂などからなる繊維強化樹脂層(13)で覆われ、高圧圧力容器(14)として用いられる。
【００７４】
圧力容器(14)において、圧力容器用ライナ(35)の内圧が上昇した場合、第１ライナ構成部材(36)の筒状部(32)は、その横断面の外形の幅方向、すなわち上下方向に伸びるとともに、その横断面の外形の長さ方向、すなわち左右方向の伸びが補強壁(37)により抑制されるような変形挙動を示す。したがって、胴(2)の外周長が増加し、補強繊維、特にフープ巻補強層を形成する補強繊維に張力が作用することになって、補強繊維による耐圧性向上効果が優れたものになる。その結果、フープ巻補強層、インプレーン巻補強層およびヘリカル巻補強層の数を少なくすることができ、圧力容器全体の軽量化を図ることができる。
【００７５】
実施形態６
この実施形態は図９に示すものである。
【００７６】
この実施形態の場合、圧力容器用ライナ(40)の第１ライナ構成部材(41)は、筒状部(32)と、筒状部(32)内にその全長にわたって一体に形成された複数の補強壁(42A)(42B)とよりなる。筒状部(32)内は、補強壁(42A)(42B)により両端が開口した複数の空間(43A)(43B)に仕切られている。筒状部(32)内の左右両側部分の補強壁(42A)は、横断面において上下方向に伸びて上下両端で筒状部(32)の内周面に一体化されている。左右方向の中間部の補強壁（42B)は、横断面において左右方向に伸びて左右両端で上下方向に伸びる補強壁(42A)に一体化されている。筒状部(32)内における左右両側部分には、横断面形状が上下方向に長い長円形である複数の空間(43A)が左右方向に間隔をおいて形成されている。また、筒状部(32)内における左右方向の中間部には、横断面形状が左右方向に長い長円形である複数の空間(43B)が上下方向に間隔をおいて形成されている。
【００７７】
その他の構成は実施形態４の圧力容器用ライナと同じである。
【００７８】
この圧力容器用ライナ(40)の場合にも、実施形態１の圧力容器用ライナ(1)の場合と同様に、周囲の全体が、たとえばカーボン繊維強化樹脂などからなる繊維強化樹脂層(13)で覆われ、高圧圧力容器(14)として用いられる。
【００７９】
圧力容器(14)において、圧力容器用ライナ(40)の内圧が上昇した場合、第１ライナ構成部材(41)の筒状部(32)は、その左右両側部分においては、その横断面の外形の長さ方向、すなわち左右方向に伸びるとともに、その横断面の外形の幅方向、すなわち上下方向の伸びが補強壁(42A)により抑制されるような変形挙動を示すとともに、左右方向の中間部においては、その横断面の外形の幅方向、すなわち上下方向に伸びるとともに、その横断面の外形の長さ方向、すなわち左右方向の伸びが補強壁(42B)により抑制されるような変形挙動を示す。したがって、胴(2)の外周長が増加し、補強繊維、特にフープ巻補強層を形成する補強繊維に張力が作用することになって、補強繊維による耐圧性向上効果が優れたものになる。その結果、フープ巻補強層、インプレーン巻補強層およびヘリカル巻補強層の数を少なくすることができ、圧力容器全体の軽量化を図ることができる。
【００８０】
実施形態１〜６においては、圧力容器用ライナは、１つの第１ライナ構成部材(4)(21)(26)(31)(36)(41)と、２つの第２ライナ構成部材(5)とにより形成されているが、これに限定されるものではなく、一方の鏡板は胴と一体に形成されていてもよい。すなわち、第１ライナ構成部材として、一端が開口するとともに他端が閉鎖された有底円筒状部を有しておりかつ胴と一方の鏡板を構成するものを用いてもよい。この場合、第１ライナ構成部材の開口端部に他方の鏡板を構成するいずれかの第２ライナ構成部材(5)を接合する。第２ライナ構成部材(5)として口金取付部の無いものを用いる場合には、第１ライナ構成部材の鏡板に口金取付部を一体に形成しておく。有底筒状の第１ライナ構成部材は、たとえば鍛造によりつくられる。さらに、第１ライナ構成部材を、その長さ方向に分断された複数のライナ構成部材により構成しておいてもよい。
【００８１】
上記すべての実施形態の圧力容器用ライナ(1)(20)(25)(30)(35)(40)を有する圧力容器は、燃料水素ガス用圧力容器、燃料電池、および燃料水素ガス用圧力容器から燃料電池に燃料水素ガスを送る圧力配管を備えた燃料電池システムにおける燃料水素ガス用圧力容器として用いられる。燃料電池システムは、燃料電池自動車に搭載される。また、燃料電池システムはコージェネレーションシステムにも用いられる。
【００８２】
また、圧力容器は、天然ガス用圧力容器および天然ガス用圧力容器から天然ガスを送り出す圧力配管を備えた天然ガス供給システムにおける天然ガス用圧力容器として用いられる。天然ガス供給システムは、発電機および発電機駆動装置とともにコージェネレーションシステムに用いられる。また、天然ガス供給システムは、天然ガスを燃料とするエンジンを備えている天然ガス自動車に用いられる。
【００８３】
さらに、圧力容器は、酸素ガス用圧力容器および酸素ガス用圧力容器から酸素ガスを送り出す圧力配管を備えた酸素ガス供給システムにおける酸素ガス用圧力容器として用いられる。
【図面の簡単な説明】
【００８４】
【図１】この発明の実施形態１の圧力容器用ライナを示す斜視図である。
【図２】図１の圧力容器用ライナを構成するライナ構成部材を示す分解斜視図である。
【図３】図１の圧力容器用ライナを備えた圧力容器を示す水平断面図である。
【図４】図３のIV−IV線断面図である。
【図５】この発明の実施形態２の圧力容器用ライナを備えた圧力容器を示す図４相当の断面図である。
【図６】この発明の実施形態３の圧力容器用ライナを備えた圧力容器を示す図４相当の断面図である。
【図７】この発明の実施形態４の圧力容器用ライナを備えた圧力容器を示す図４相当の断面図である。
【図８】この発明の実施形態５の圧力容器用ライナを備えた圧力容器を示す図４相当の断面図である。
【図９】この発明の実施形態６の圧力容器用ライナを備えた圧力容器を示す図４相当の断面図である。
【符号の説明】
【００８５】
(1)(20)(25)(30)(35)(40)：圧力容器用ライナ
(2)：胴
(3)：鏡板
(4)(21)(26)(31)(36)(41)：第１ライナ構成部材
(5)：第２ライナ構成部材
(6)(32)：筒状部
(7)(22)(27A)(27B)(33)(37)(42A)(42B)：補強壁
(8)(23)(28A)(28B)(34)(38)(43A)(43B）：空間
【図１】
2006153065.tif 000003
【図２】
2006153065.tif 000004
【図３】
2006153065.tif 000005
【図４】
2006153065.tif 000006
【図５】
2006153065.tif 000007
【図６】
2006153065.tif 000008
【図７】
2006153065.tif 000009
【図８】
2006153065.tif 000010
【図９】
2006153065.tif 000011